(57)【要約】【課題】スライド部材からの外れを防止するための保持用の切欠きを持たないカードを使用しても、煩雑な操作を要することなく、カードの装着時にカードの抜けを確実に防止することができるカード用コネクタを提供すること。【解決手段】ハウジングと、ハウジング内をスライド可能に形成され、カード９１の装着空間への押し込みにより装着位置で保持され、装着位置からの更なる押し込みにより排出位置に戻されるスライド部材６と、スライド部材６の装着位置へのスライドに連動してカード９１を抜け止めするよう動作すると共に、スライド部材６の排出位置へのスライドに連動してカード９１の排出を許容するように動作する抜け止め部材９とを備えた。【選択図】図５
2011165604.tif 000002
【特許請求の範囲】
【請求項１】
カードの装着空間を形成するハウジングと、
前記カードの挿入方向及び排出方向に前記カードと共に前記ハウジング内をスライド可能に形成され、前記カードの装着空間への押し込みにより装着位置で保持され、前記装着位置からの更なる押し込みにより排出位置に戻されるスライド部材と、
前記カードを抜け止め保持する保持部を、前記カードを抜け止めする抜け止め位置と、前記抜け止め位置から退避する退避位置との間で移動させる抜け止め部材とを備え、
前記抜け止め部材は、前記スライド部材に設けられた連結部を介して前記スライド部材のスライドに連動され、前記スライド部材の前記装着位置へのスライドにより前記保持部を前記抜け止め位置に移動することを特徴とするカード用コネクタ。
【請求項２】
前記抜け止め部材は、前記スライド部材の前記排出位置へのスライドにより前記保持部を前記退避位置に移動することを特徴とする請求項１に記載のカード用コネクタ。
【請求項３】
前記スライド部材の排出方向への移動を規制するストッパを備え、
前記連結部は、前記ストッパを迂回するようにして、前記スライド部材から排出方向に延び、前記カードの装着口の近傍において前記抜け止め部材を前記スライド部材のスライドに連動させることを特徴とする請求項１または請求項２に記載のカード用コネクタ。
【請求項４】
前記連結部は、前記ストッパを迂回させる開口を有することを特徴とする請求項３に記載のカード用コネクタ。
【請求項５】
前記抜け止め部材に形成されたカム従動面と、前記連結部に形成され、前記カム従動面に当接するカム部とによりカム機構が形成され、
前記抜け止め部材は、前記カム機構により前記スライド部材の挿入方向へのスライドが変換されて、前記保持部を前記抜け止め位置に移動することを特徴とする請求項１から請求項４のいずれかに記載のカード用コネクタ。
【請求項６】
前記抜け止め部材は、前記カム機構により前記スライド部材の排出方向へのスライドが変換されて、前記保持部を前記退避位置に移動することを特徴とする請求項５に記載のカード用コネクタ。
【請求項７】
前記抜け止め部材は、前記ハウジングに揺動可能に支持されており、前記カム機構により前記スライド部材のスライドが変換されて、前記保持部を揺動することを特徴とする請求項５または請求項６に記載のカード用コネクタ。
【請求項８】
前記カム従動面は、前記抜け止め部材の側面に形成したことを特徴とする請求項５から請求項７のいずれかに記載のカード用コネクタ。
【請求項９】
前記連結部は、前記スライド部材が前記排出位置にある場合に、前記保持部の抜け止め位置への移動を規制する第一の規制部を有することを特徴とする請求項１から請求項８のいずれかに記載のカード用コネクタ。
【請求項１０】
前記連結部は、前記スライド部材が前記装着位置にある場合に、前記保持部の退避位置への移動を規制する第二の規制部を有することを特徴とする請求項１から請求項９のいずれかに記載のカード用コネクタ。
【発明の詳細な説明】
【技術分野】
【０００１】
本発明は、カード用コネクタに関し、特に、ＳＩＭ（Subscriber  Identity  Module）カード用のカード用コネクタに関する。
【背景技術】
【０００２】
従来、ＳＩＭカード用のカード用コネクタとして、プッシュプッシュ式のカード用コネクタが知られている（例えば、特許文献１参照）。特許文献１に記載のカード用コネクタには、ハウジング内において挿入方向及び排出方向にＳＩＭカードと共にスライドするスライド部材を、装着位置においてロックするロック機構が設けられている。ロック機構は、ＳＩＭカードの押し込みによりスライド部材を装着位置でロックし、ＳＩＭカードの更なる押し込みによりスライド部材のロックを解除する。ＳＩＭカードは、スライド部材のロックが解除されると、スライド部材を排出方向に付勢する排出バネの付勢力によって、スライド部材を介して排出位置に押し戻される。
【０００３】
ところで、ＳＩＭカードの側面には、スライド部材からの外れを防止するための保持用の切欠きが形成されていない。したがって、スライド部材が装着位置にロックされた状態であっても、振動等でＳＩＭカードがコネクタから抜け出るおそれがある。このため、カード用コネクタの装着口側に抜け止め用の抜け止め部材を設ける構成が考えられる（例えば、特許文献２参照）。特許文献２に記載のカード用コネクタの抜け止め部材は、手動操作によって、装着口の一部を塞ぐ抜け止め位置と、抜け止め位置から退避する退避位置との間を移動される。ＳＩＭカードは、抜け止め部材の抜け止め位置への移動により、コネクタからの抜けが防止され、抜け止め部材の退避位置への移動により、コネクタへの抜差しが許容される。
【先行技術文献】
【特許文献】
【０００４】
【特許文献１】特開２００３−１７１８３号公報
【特許文献２】特許第２７１７３４９号公報
【発明の概要】
【発明が解決しようとする課題】
【０００５】
しかしながら、上記した従来のカード用コネクタにおいては、抜け止め部材が手動操作されるため、ＳＩＭカードの装着時に抜け止め部材の操作を忘れるおそれがあり、ＳＩＭカードの抜けを確実に防止できないという問題があった。また、ＳＩＭカードの装着時には、ＳＩＭカードの挿入後に抜け止め部材を手動操作して抜け止めし、ＳＩＭカードの排出時には、抜け止め部材を手動操作して抜け止めを解除した後に、ＳＩＭカードを取り出す必要があるため、操作が煩雑になるという問題があった。
【０００６】
本発明はこのような実情に鑑みてなされたものであり、スライド部材からの外れを防止するための保持用の切欠きを持たないカードを使用しても、煩雑な操作を要することなく、カードの装着時にカードの抜けを確実に防止することができるカード用コネクタを提供することを目的とする。
【課題を解決するための手段】
【０００７】
本発明のカード用コネクタは、カードの装着空間を形成するハウジングと、前記カードの挿入方向及び排出方向に前記カードと共に前記ハウジング内をスライド可能に形成され、前記カードの装着空間への押し込みにより装着位置で保持され、前記装着位置からの更なる押し込みにより排出位置に戻されるスライド部材と、前記カードを抜け止め保持する保持部を、前記カードを抜け止めする抜け止め位置と、前記抜け止め位置から退避する退避位置との間で移動させる抜け止め部材とを備え、前記抜け止め部材は、前記スライド部材に設けられた連結部を介して前記スライド部材のスライドに連動され、前記スライド部材の前記装着位置へのスライドにより前記保持部を前記抜け止め位置に移動することを特徴とする。
【０００８】
この構成によれば、スライド部材の装着位置へのスライドに連動して、抜け止め部材の保持部が抜け止め位置に移動される。よって、カードの装着時には、抜け止め部材の操作を忘れていても、保持部が抜け止め位置に移動されるため、保持部によってカード用コネクタからのカードの抜けを確実に防止することができる。また、抜け止め部材の手動操作が不要となるため、簡易にカードの装着動作を行うことができる。
【０００９】
また本発明は、上記カード用コネクタにおいて、前記抜け止め部材は、前記スライド部材の前記排出位置へのスライドにより前記保持部を前記退避位置に移動することを特徴とする。
【００１０】
この構成によれば、スライド部材の排出位置へのスライドに連動して、抜け止め部材の保持部が退避位置に移動される。よって、カードの排出時には、抜け止め部材を操作することなく、保持部が退避位置に移動されるため、保持部によってカードの排出が阻害されることがない。また、抜け止め部材の手動操作が不要となるため、簡易にカードの排出動作を行うことができる。
【００１１】
また本発明は、上記カード用コネクタにおいて、前記スライド部材の排出方向への移動を規制するストッパを備え、前記連結部は、前記ストッパを迂回するようにして、前記スライド部材から排出方向に延び、前記カードの装着口の近傍において前記抜け止め部材を前記スライド部材のスライドに連動させることを特徴とする。
【００１２】
この構成によれば、ストッパが装着口の近傍におけるスライド部材と抜け止め部材との連動を規制することがない。
【００１３】
また本発明は、上記カード用コネクタにおいて、前記連結部は、前記ストッパを迂回させる開口を有することを特徴とする。
【００１４】
この構成によれば、簡易な構成で連結部にストッパを迂回させることができる。また、開口内にストッパが配置されるため、ストッパの上方を通るように連結部を迂回させる構成と比較して、カード用コネクタを薄型化することができる。
【００１５】
また本発明は、上記カード用コネクタにおいて、前記抜け止め部材に形成されたカム従動面と、前記連結部に形成され、前記カム従動面に当接するカム部とによりカム機構が形成され、前記抜け止め部材は、前記カム機構により前記スライド部材の挿入方向へのスライドが変換されて、前記保持部を前記抜け止め位置に移動することを特徴とする。
【００１６】
この構成によれば、スライド部材の挿入方向へのスライドと保持部の抜け止め位置への移動とを、簡易な構成で連動させることができる。
【００１７】
また本発明は、上記カード用コネクタにおいて、前記抜け止め部材は、前記カム機構により前記スライド部材の排出方向へのスライドが変換されて、前記保持部を前記退避位置に移動することを特徴とする。
【００１８】
この構成によれば、スライド部材の排出方向へのスライドと保持部の退避位置への移動とを、簡易な構成で連動させることができる。
【００１９】
また本発明は、上記カード用コネクタにおいて、前記抜け止め部材は、前記ハウジングに揺動可能に支持されており、前記カム機構により前記スライド部材のスライドが変換されて、前記保持部を揺動することを特徴とする。
【００２０】
この構成によれば、抜け止め部材を揺動させることで、カード用コネクタの幅を広げることなく、保持部のカードに当接可能な部分を大きくとることができる。
【００２１】
また本発明は、上記カード用コネクタにおいて、前記カム従動面は、前記抜け止め部材の側面に形成したことを特徴とする。
【００２２】
この構成によれば、薄型の抜け止め部材を使用しても、抜け止め部材の側面をカム従動面とすることで、側方からの押圧力に対する部品強度を高めることが可能となる。また、薄型の抜け止め部材を使用可能なため、カード用コネクタを薄型化することができる。
【００２３】
また本発明は、上記カード用コネクタにおいて、前記連結部は、前記スライド部材が前記排出位置にある場合に、前記保持部の抜け止め位置への移動を規制する第一の規制部を有することを特徴とする。
【００２４】
この構成によれば、スライド部材が排出位置にあるカードの非装着時に、保持部が抜け止め位置に移動されることがないため、カード用コネクタに対するカードの装着が阻害されることがない。
【００２５】
また本発明は、上記カード用コネクタにおいて、前記連結部は、前記スライド部材が前記装着位置にある場合に、前記保持部の退避位置への移動を規制する第二の規制部を有することを特徴とする。
【００２６】
この構成によれば、スライド部材が装着位置にあるカードの装着時に、保持部が退避位置に移動されることがないため、カード用コネクタからのカードの無理抜きを防止することができる。
【発明の効果】
【００２７】
本発明によれば、スライド部材からの外れを防止するための保持用の切欠きを持たないカードを使用しても、煩雑な操作を要することなく、カードの装着時にカードの抜けを確実に防止することができる。
【図面の簡単な説明】
【００２８】
【図１】本発明に係るカード用コネクタの第一の実施の形態を示す図であり、カード用コネクタの斜視図である。
【図２】本発明に係るカード用コネクタの第一の実施の形態を示す図であり、カバーを外したカード用コネクタの斜視図である。
【図３】本発明に係るカード用コネクタの第一の実施の形態を示す図であり、スライド部材と抜け止め部材との連動構成の説明図である。
【図４】本発明に係るカード用コネクタの第一の実施の形態を示す図であり、寸法誤差を有するカードが装着された場合の抜け止め部材の揺動状態の説明図である。
【図５】本発明に係るカード用コネクタの第一の実施の形態を示す図であり、抜け止め部材の揺動動作の遷移図である。
【図６】本発明に係るカード用コネクタの第一の実施の形態を示す図であり、カード用コネクタによるカードの装着動作の説明図である。
【図７】本発明に係るカード用コネクタの第一の実施の形態を示す図であり、カード用コネクタによるカードの排出動作の説明図である。
【図８】本発明に係るカード用コネクタの第二の実施の形態を示す図であり、カバーを外したカード用コネクタの斜視図である。
【図９】本発明に係るカード用コネクタの第二の実施の形態を示す図であり、スライド部材と抜け止め部材の分解斜視図である。
【図１０】本発明に係るカード用コネクタの第二の実施の形態を示す図であり、スライド部材と抜け止め部材との連動構成の説明図である。
【図１１】本発明に係るカード用コネクタの第三の実施の形態を示す図であり、カバーを外したカード用コネクタの斜視図である。
【図１２】本発明に係るカード用コネクタの第三の実施の形態を示す図であり、スライド部材と抜け止め部材の平面図である。
【図１３】本発明に係るカード用コネクタの第三の実施の形態を示す図であり、スライド部材と抜け止め部材との連動構成の説明図である。
【図１４】本発明に係るカード用コネクタの第一の実施の形態を示す図であり、カードの平面図である。
【発明を実施するための形態】
【００２９】
以下、本発明の第一の実施の形態について添付図面を参照して詳細に説明する。なお、以下においては、ＳＩＭカードが装着されるカード用コネクタに適用する場合について説明する。しかしながら、本実施の形態に係るカード用コネクタの適用対象については、これに限定されるものではなく適宜変更が可能である。
【００３０】
まず、本実施の形態に係るカード用コネクタについて説明する前に装着対象となるカードについて説明する。図１４は、本発明の第一の実施の形態に係るカードの平面図であり、（ａ）が上面図、（ｂ）が背面図をそれぞれ示している。
【００３１】
図１４（ａ）、（ｂ）に示すように、カード９１は、いわゆるＳＩＭカードであり、上面視略矩形状に形成され情報記憶部を有する記憶媒体である。カード９１の一の角部には、切り欠かれて約４５度に傾斜した傾斜面９２が形成されている。傾斜面９２は、カード９１の挿入方向を識別するのに用いられ、この傾斜面９２が形成されている側が挿入方向における前端側とされ、逆側が挿入方向における後端側とされる。
【００３２】
カード９１の背面には、カード９１の挿入方向における後端側の略半部に、カード用コネクタ１の複数のコンタクト端子１５に接触して情報の読み出しまたは書込みをするための複数の接点パッド９３が設けられている。また、カード９１の側面は、挿入方向に沿って平坦に形成され、カード用コネクタ１のスライド部材６の側面に面接触される。すなわち、カード９１は、カード用コネクタ１のスライド部材６に保持されることなく、スライド部材６に面接触された状態で挿入方向及び排出方向に動作される。
【００３３】
次に、図１および図２を参照して、カード用コネクタの全体構成について説明する。図１は、本発明の第一の実施の形態に係るカード用コネクタの斜視図である。図２は、本発明の第一の実施の形態に係るカバーを外したカード用コネクタの斜視図である。
【００３４】
図１及び図２に示すように、本実施の形態に係るカード用コネクタ１は、上面および前面が開口されたコネクタ本体２と、コネクタ本体２の上面の開口に装着されてカード９１の装着空間を形成するカバー３とを備え、コネクタ本体２及びカバー３が組み合わされて装着口４を有する箱状体をなしている。コネクタ本体２の底壁部１１における装着口４側の略前半部には、複数のコンタクト端子１５が設けられている。各コンタクト端子１５は、底壁部１１の略前半部から奥壁部１２側に向かって延在している。
【００３５】
コネクタ本体２の奥壁部１２には、カード９１の装着検出用のスイッチ部５が設けられている。スイッチ部５は、奥壁部１２に揺動可能に支持されたレバー２１と、レバー２１に設けられた接点バネ２２とを有している。スイッチ部５は、奥壁部１２の内側面に露出された一対の固定接点２３、２４に対向し、カード９１の非装着時に、接点バネ２２の一端を一方の固定接点２３に接触させ、接点バネ２２の他端を他方の固定接点２４から離間させている。そして、スイッチ部５は、カード９１により奥壁部１２側に押し込まれると、レバー２１の回動により接点バネ２２の他端を他方の固定接点２４に接触させて、カード９１の装着を検出する。
【００３６】
コネクタ本体２の一の側壁部１３側には、側壁部１３に沿ってスライド可能なスライド部材６と、スライド部材６のスライドに伴って伸縮するコイル状の排出バネ７とが設けられている。排出バネ７は、一端が奥壁部１２に当接され、他端がスライド部材６に当接されており、スライド部材６を排出方向に付勢している。また、コネクタ本体２の装着口４側には、スライド部材６の排出方向へのスライドを遮るようにストッパ２６が設けられている。ストッパ２６は、スライド部材６に当接することで、スライド部材６を排出位置に規制する。
【００３７】
スライド部材６は、排出バネ７に付勢された状態で挿入方向及び排出方向にスライド可能に構成されている。スライド部材６は、挿入方向の前端側からコネクタ本体２の中央に向かって延在する腕部３１を有している。腕部３１は、カード９１の挿入方向の前端面に当接し、スライド部材６とカード９１とを一体に動作させる。
【００３８】
スライド部材６の上面にはハートカム溝３９が形成されており、このハートカム溝３９とストッパ２６に設けられたラッチピン８とによりスライド部材６の位置が規定される。ラッチピン８は、スライド部材６のスライド方向に延在し、両端が底壁部１１に向かって略直角に屈曲している。ラッチピン８の一端は、ストッパ２６に回動可能に支持され、他端はスライド部材６のハートカム溝３９上に摺動される。
【００３９】
ハートカム溝３９は、複数の段差と傾斜を有して上面視ハート型の環状に形成されており、スライド部材６のスライドに応じてラッチピン８の他端を一方向に摺動させる。スライド部材６が奥壁部１２近傍の装着位置に押し込まれると、ラッチピン８の他端がハートカム溝３９の係止部分に係止され、排出バネ７の付勢によるスライド部材６の復帰が規制される。この状態からさらにスライド部材６が押し込まれると、ラッチピン８とハートカム溝３９との係止状態が解除されて、排出バネ７の付勢によりスライド部材６が復帰される。このように、ラッチピン８とハートカム溝３９は、スライド部材６の装着位置における保持機能を有している。
【００４０】
また、スライド部材６には、ストッパ２６の側方を通り装着口４側に延在する連結部３２が設けられている。連結部３２の先端の近傍には、スライド部材６に連動する抜け止め部材９が設けられている。抜け止め部材９は、カード９１を抜け止め保持する保持片４４を有している。また、抜け止め部材９は、連結部３２を介してスライド部材６に連動し、装着口４の一部を塞ぐ抜け止め位置と抜け止め位置から退避した退避位置との間で保持片４４を移動させる。
【００４１】
カバー３は、金属製の板材を折り曲げて形成されており、上板の一側方にはラッチピン８を押えるピン押え３５が形成されている。ピン押え３５は、底壁部１１側に切り起こされた片持ちバネであり、ラッチピン８の中間部分を下方に押圧してラッチピン８の他端をハートカム溝３９に押し付けている。
【００４２】
以下、図３及び図４を参照して、スライド部材と抜け止め部材との連動構成について説明する。図３は、本発明の第一の実施の形態に係るスライド部材と抜け止め部材との連動構成の説明図である。図４は、本発明の第一の実施の形態に係る寸法誤差を有するカードが装着された場合の抜け止め部材の揺動状態の説明図である。なお、図３においては、カードの排出時のスライド部材と抜け止め部材との連動状態を示している。
【００４３】
図３に示すように、連結部３２は、ストッパ２６を迂回するように装着口４側に延在し、抜け止め部材９に当接可能に形成されている。このため、スライド部材６と抜け止め部材９は、装着口４近傍においてストッパ２６により連動が規制されることがない。連結部３２の先端部には、スライド部材６のスライドを抜け止め部材９のバネ片４３に伝達可能な傾斜面３３が形成されている。傾斜面３３は、装着口４側に向かって側壁部１３との間隔を狭めるように傾斜している。そして、傾斜面３３は、スライド部材６のスライドに伴って移動されることで、抜け止め部材９のバネ片４３を押圧する。
【００４４】
抜け止め部材９は、金属板を折り曲げて形成されており、コネクタ本体２の底壁部１１に設けられた支持突起４１に揺動自在に支持される平板部４２を有している。平板部４２の奥壁部１２側には、片持ちのバネ片４３が設けられている。バネ片４３は、平板部４２に連なる基端部からストッパ２６に向かって延在し、延在方向の途中部分で基端側に折り返されている。このバネ片４３の自由端部側が、連結部３２の傾斜面３３に押圧されることで、抜け止め部材９が支持突起４１を中心として揺動される。
【００４５】
平板部４２の装着口４側には、カード９１を抜け止め保持する保持片４４が設けられている。保持片４４は、平板部４２に連なる基端部から装着口４側（カード９１側）に向かって延在し、途中部分で基端側に折り曲げられている。保持片４４は、基端側の略半部でカード９１を抜け止め保持する。保持片４４の先端側の略半部は、退避位置においてカード９１との接触を避けるように折り曲げられている。
【００４６】
また、平板部４２のバネ片４３近傍は、連結部３２に設けられた第一、第二の規制部４８、４９と共に、抜け止め部材９の揺動範囲を規制する規制片４５となっている。規制片４５は、連結部３２において、第一、第二の規制部４８、４９に対して一段低くなった段部４７に位置される。そして、抜け止め部材９は、スライド部材６が排出位置にある場合に、規制片４５と第一の規制部４８とによって抜け止め方向への揺動が規制される。これにより、カード９１の非装着時に保持片４４が抜け止め位置に移動されず、カード９１の装着が阻害されることがない。また、抜け止め部材９は、スライド部材６が装着位置にある場合に、規制片４５と第二の規制部４９とによって退避方向への揺動が規制される。これにより、カード９１の装着時に保持片４４が退避位置に移動されず、カード９１の抜けが確実に防止される。
【００４７】
この場合、抜け止め部材９は、バネ片４３によりカード９１の挿入方向における寸法誤差を吸収している。例えば、図４に示すように、カード用コネクタ１に、挿入方向における寸法が大きなカード９１が装着された場合には、バネ片４３が大きく撓んで抜け止め部材９の揺動量を調整し、保持片４４によるカード９１の抜け止めを可能とする。このように、抜け止め部材９は、バネ片４３の撓みにより揺動量が調整される。また、カード用コネクタ１に外部からの振動等が加わっても、抜け止め部材９とスライド部材６との間で生じる振動がバネ片４３に吸収されるため、異音の発生を防止でき、操作性を向上させることが可能となる。
【００４８】
ここで、図５を参照して、抜け止め部材の揺動動作について説明する。図５は、本発明の第一の実施の形態に係る抜け止め部材の揺動動作の遷移図である。なお、図５において、（ａ）から（ｃ）がカードの装着時における抜け止め部材の揺動動作、（ｃ）から（ｅ）がカードの排出時における抜け止め部材の揺動動作をそれぞれ示している。
【００４９】
図５（ａ）に示すように、スライド部材６が排出位置にある場合、スライド部材６によってカード９１が装着口４から押し出されている。このとき、抜け止め部材９は、保持片４４を退避位置に位置させており、規制片４５と第一の規制部４８とにより抜け止め方向への揺動が規制されている。この状態からカード９１が押し込まれると、スライド部材６が挿入方向にスライドされ、抜け止め部材９のバネ片４３と連結部３２の傾斜面３３とが接触される。
【００５０】
図５（ｂ）に示すように、カード９１が更に押し込まれ、スライド部材６がさらに挿入方向にスライドされると、バネ片４３が傾斜面３３に乗り上がり始める。抜け止め部材９は、バネ片４３に対する傾斜面３３の押し込みにより支持突起４１を中心に抜け止め方向に揺動を開始する。このとき、抜け止め部材９は、規制片４５と第一の規制部４８とが離間されるため、揺動が規制されることがない。
【００５１】
図５（ｃ）に示すように、カード９１がカード用コネクタ１に装着され、スライド部材６が装着位置までスライドされると、バネ片４３が傾斜面３３に完全に乗り上がる。抜け止め部材９は、抜け止め方向の揺動により保持片４４を抜け止め位置に移動させる。これにより、抜け止め部材９の保持片４４が、装着口４側に突出され、カード用コネクタ１からのカード９１の抜けが防止される。このとき、抜け止め部材９は、規制片４５と第二の規制部４９とによって退避方向の揺動が規制される。したがって、カード用コネクタ１からのカード９１の無理抜きが防止される。
【００５２】
このように、スライド部材６の装着位置へのスライドに連動して、抜け止め部材９の保持片４４が抜け止め位置に移動される。よって、カード９１の装着動作で、抜け止め部材９により抜け止めされるため、カード用コネクタ１からのカード９１の抜けを確実に防止することが可能となる。
【００５３】
図５（ｃ）に示す状態から、カード９１が更に押し込まれると、スライド部材６がカード９１と共に排出方向に押し戻され、第二の規制部４９による抜け止め部材９の退避方向の揺動規制が解除される。
【００５４】
図５（ｄ）に示すように、スライド部材６が排出方向にスライドされると、カード９１の後端によって抜け止め部材９の保持片４４が押し込まれる。抜け止め部材９は、保持片４４に対するカード９１の押し出しにより支持突起４１を中心に退避方向に揺動を開始する。このとき、バネ片４３が傾斜面３３を下るため、バネ片４３に対する傾斜面３３の押し込み量が小さくなり、抜け止め部材９の退避方向の揺動に対するバネ片４３の抵抗が弱まる。
【００５５】
図５（ｅ）に示すように、カード９１がカード用コネクタ１から排出され、スライド部材６が排出位置までスライドされると、抜け止め部材９は、退避方向の揺動により保持片４４を退避位置に移動させる。これにより、抜け止め部材９の保持片４４が、装着口４側から退避され、カード９１用コネクタに対するカード９１の抜差しが許容される。このとき、抜け止め部材９は、規制片４５と連結部３２の第一の規制部４８とによって抜け止め方向の揺動が規制される。
【００５６】
このように、スライド部材６の排出位置へのスライドに連動して、抜け止め部材９の保持片４４が退避位置に移動される。よって、カード９１の排出動作で、抜け止め部材９の抜け止めが解除されるため、カード用コネクタ１からのカード９１の排出が規制されることがない。
【００５７】
図６及び図７を参照して、カード用コネクタの装着動作及び排出動作について説明する。図６は、本発明の第一の実施の形態に係るカード用コネクタによるカードの装着動作の説明図である。図７は、本発明の第一の実施の形態に係るカード用コネクタによるカードの排出動作の説明図である。なお、図６及び図７においては、説明の便宜上、カバーを省略している。
【００５８】
最初に、カード用コネクタ１によるカード９１の装着動作について説明する。図６（ａ）に示すように、カード用コネクタ１にカード９１が挿入されると、カード９１の先端がスライド部材６の腕部３１に接触される。このとき、抜け止め部材９は、第一の規制部４８によって抜け止め方向の揺動が規制されるため、抜け止め部材９がカード９１の挿入を妨げることがない。この状態からカード９１が押し込まれると、スライド部材６が装着位置に向かってスライドし、抜け止め部材９の抜け止め方向の揺動規制が解除される。
【００５９】
図６（ｂ）に示すように、カード９１が更に押し込まれると、ラッチピン８の他端にハートカム溝３９が摺動されながら、スライド部材６が更に装着位置側にスライドされる。このスライド部材６の挿入方向のスライドに伴って、連結部３２の傾斜面３３に抜け止め部材９のバネ片４３が押し込まれ、抜け止め部材９が支持突起４１を中心として抜け止め方向に揺動される。
【００６０】
図６（ｃ）に示すように、カード９１が更に押し込まれると、ラッチピン８の他端がハートカム溝３９の係止部分に係止され、カード９１がスライド部材６と共に装着位置に保持される。そして、抜け止め部材９の保持片４４が抜け止め位置まで移動され、カード用コネクタ１からのカード９１の抜けが防止される。また、カード９１によってスイッチ部５が押し込まれて、カード９１の装着が検出される。そして、装着位置に保持されることでカード９１の接点パッド９３が、カード用コネクタ１のコンタクト端子１５と接触し、カード９１の情報記憶部と上位装置との間での信号の授受が可能となる。
【００６１】
次に、カード用コネクタ１によるカード９１の排出動作について説明する。図７（ａ）に示すように、カード９１の装着状態においては、ラッチピン８の他端がハードカム溝３９の係止部分に係止され、スライド部材６の排出方向へのスライドが規制されている。このとき、抜け止め部材９は、第二の規制部４９によって退避方向の揺動が規制されるため、カード９１の無理抜きが防止される。
【００６２】
図７（ｂ）に示すように、カード９１が更に押し込まれると、ラッチピン８とハートカム溝３９との係止状態が解除されて、スライド部材６が排出バネ７により排出位置に向かって押し戻される。このスライド部材６の排出方向のスライドによって、カード９１の後端に抜け止め部材９の保持片４４が押し出されて、抜け止め部材９が支持突起４１を中心として退避方向に揺動される。
【００６３】
図７（ｃ）に示すように、スライド部材６が排出位置にスライドされると、カード９１による押し出しにより、抜け止め部材９の保持片４４が退避位置に移動される。このようにして、カード９１がカード用コネクタ１の装着口４から排出される。また、スイッチ部５へのカード９１による押し込みが解除されるので、カード９１の排出が検出される。そして、装着位置からカード９１が排出位置に移動することでカード９１の接点パッド９３が、カード用コネクタ１のコンタクト端子１５から離間する。
【００６４】
以上のように、本実施の形態に係るカード用コネクタ１によれば、スライド部材６の装着位置へのスライドに連動して、連結部３２の傾斜面３３に押し込まれることで、抜け止め部材９の保持片４４が抜け止め位置に移動される。よって、カード９１の装着動作で、抜け止め部材９により抜け止めされるため、カード用コネクタ１からのカード９１の抜けを確実に防止することが可能となる。また、スライド部材６の排出位置へのスライドに連動し、カード９１に押圧されて抜け止め部材９の保持片４４が退避位置に移動される。よって、カード９１の排出動作で、抜け止め部材９の抜け止めが解除されるため、カード用コネクタ１からのカード９１の排出が阻害されることがない。また、抜け止め部材９に対する手動操作が不要となるため、簡易にカード９１の装着動作及び排出動作を行うことが可能となる。
【００６５】
次に、本発明の第二の実施の形態について説明する。本発明の第二の実施の形態に係るカード用コネクタは、上述した第一の実施の形態に係るカード用コネクタとスライド部材と抜け止め部材との連動構成についてのみ相違する。したがって、特に相違点についてのみ説明する。図８は、本発明の第二の実施の形態に係るカバーを外したカード用コネクタの斜視図である。図９は、本発明の第二の実施の形態に係るスライド部材と抜け止め部材の分解斜視図である。図１０は、本発明の第二の実施の形態に係るスライド部材と抜け止め部材との連動構成の説明図である。
【００６６】
図８に示すように、カード用コネクタ５１は、スライド部材５５と抜け止め部材５６とを除いて、第一の実施の形態に示すカード用コネクタと同一の構成になっている。スライド部材５５は、コネクタ本体５２の一の側壁部５８沿ってスライド可能に配置されており、図示しない排出バネによって排出方向に付勢されている。また、スライド部材５５の排出方向における前方には、スライド部材５５のスライドを規制するストッパ６１が設けられている。ストッパ６１の近傍には、スライド部材５５に連動して、カード９１を抜け止めする抜け止め部材５６が設けられている。
【００６７】
図９に示すように、スライド部材５５には、装着口側に延在する連結部６２が設けられており、連結部６２にはストッパ６１を収容可能な開口６３が形成されている。このため、スライド部材５５と抜け止め部材５６は、装着口近傍においてストッパ６１により連動が規制されることがない。また、開口６３内にストッパ６１が配置されるため、ストッパ６１の上方を通るように連結部６２を迂回させる構成と比較して、カード用コネクタ５１を薄型化することが可能となる。
【００６８】
連結部６２の先端部には、底壁部５９側に向かって突出した連結ピン６４が形成されている。連結ピン６４は、抜け止め部材５６の上面に形成されたカム溝６５内に配置され、スライド部材５５のスライドに伴ってカム溝６５内を移動することで、抜け止め部材５６を駆動させる。すなわち、カム部として機能する連結ピン６４と、カム従動面として機能するカム溝６５のガイド面とでカム機構が形成される。
【００６９】
抜け止め部材５６は、上面視略円弧状のレバー６６と、レバー６６の先端側に設けられた保持部６７とを有している。レバー６６の背面には、揺動突起６８が底壁部５９側に突出されている。抜け止め部材５６は、揺動突起６８が底壁部５９に設けられた支持穴に挿入されることで、底壁部５９に揺動可能に支持される。レバー６６の上面には、上記した円弧状のカム溝６５が形成されており、カム溝６５を形成する対向面が連結ピン６４をガイドするガイド面になっている。この円弧状のカム溝６５が、連結部６２の連結ピン６４に押圧されることで、抜け止め部材５６が支持穴を中心として揺動される。
【００７０】
図１０（ａ）に示すように、スライド部材５５が排出位置にある場合、連結ピン６４が保持部６７近傍のカム溝６５の一端側に位置されており、保持部６７が退避位置に位置されている。この状態からカード９１が押し込まれると、スライド部材５５が挿入方向にスライドされ、連結部６２の連結ピン６４がカム溝６５内を一端側から他端側に向かって移動する。そして、連結ピン６４がカム溝６５の他端側のガイド面に摺接することで、支持穴を中心として抜け止め部材５６が抜け止め方向に揺動される。
【００７１】
図１０（ｂ）に示すように、カード９１が更に押し込まれ、スライド部材５５が装着位置までスライドされると、抜け止め部材５６の保持部６７が抜け止め位置まで移動される。これにより、保持部６７が、装着口側に突出され、カード用コネクタ５１からのカード９１の抜けが防止される。また、ラッチピン５７の他端がハートカム溝６９の係止部分に係止され、カード９１がスライド部材５５と共に装着位置に保持される。
【００７２】
このように、スライド部材５５の装着位置へのスライドに連動して、抜け止め部材５６の保持部６７が抜け止め位置に移動される。よって、カード９１の装着動作で、抜け止め部材５６により抜け止めされるため、カード用コネクタ５１からのカード９１の抜けを確実に防止することが可能となる。
【００７３】
図１０（ｃ）に示すように、カード９１が更に押し込まれると、ラッチピン５７とハートカム溝６９との係止状態が解除されて、スライド部材５５がカード９１と共に排出方向に押し戻される。スライド部材５５が排出方向にスライドされると、連結ピン６４がカム溝６５内を他端側から一端側に向かって移動する。そして、連結ピン６４がカム溝６５の一端側のガイド面に摺接することで、支持穴を中心として抜け止め部材５６が退避方向に揺動される。
【００７４】
図１０（ｄ）に示すように、カード９１がカード用コネクタ５１から排出され、スライド部材５５が排出位置までスライドされると、抜け止め部材５６の保持部６７が退避位置まで移動される。これにより、保持部６７が装着口側から退避され、カード用コネクタ５１に対するカード９１の抜差しが許容される。
【００７５】
このように、スライド部材５５の排出位置へのスライドに連動して、抜け止め部材５６の保持部６７が退避位置に移動される。よって、カード９１の排出動作で、抜け止め部材５６の抜け止めが解除されるため、カード用コネクタ５１からのカード９１の排出が規制されることがない。
【００７６】
以上のように、本実施の形態に係るカード用コネクタ５１によれば、第一の実施の形態と同様に、カード用コネクタ５１からのカード９１の抜けを確実に防止することができると共に、抜け止め部材５６によってカード９１の排出が阻害されることがない。また、抜け止め部材５６に対する手動操作が不要となるため、簡易にカード９１の装着動作及び排出動作を行うことが可能となる。さらに、簡易な構成で、スライド部材５５と抜け止め部材５６との連動構成を形成することが可能となる。
【００７７】
次に、本発明の第三の実施の形態について説明する。本発明の第三の実施の形態に係るカード用コネクタは、上述した第一、第二の実施の形態に係るカード用コネクタとスライド部材と抜け止め部材との連動構成についてのみ相違する。したがって、特に相違点についてのみ説明する。図１１は、本発明の第三の実施の形態に係るカバーを外したカード用コネクタの斜視図である。図１２は、本発明の第三の実施の形態に係るスライド部材と抜け止め部材の平面図である。図１３は、本発明の第三の実施の形態に係るスライド部材と抜け止め部材との連動構成の説明図である。
【００７８】
図１１に示すように、カード用コネクタ７１は、スライド部材７５と抜け止め部材７６とを除いて、第一、第二の実施の形態に示すカード用コネクタと同一の構成になっている。スライド部材７５は、コネクタ本体７２の一の側壁部７８に沿ってスライド可能に配置されており、図示しない排出バネによって排出方向に付勢されている。また、スライド部材７５の排出方向における前方には、スライド部材７５のスライドを規制するストッパ８１が設けられている。ストッパ８１の近傍には、スライド部材７５に連動して、カード９１を抜け止めする抜け止め部材７６が設けられている。
【００７９】
図１２に示すように、スライド部材７５には、装着口側に延在する連結部８２が設けられており、連結部８２にはストッパ８１を収容可能な開口８３が形成されている。このため、スライド部材７５と抜け止め部材７６は、装着口近傍においてストッパ８１により連動が規制されることがない。また、開口８３内にストッパ８１が配置されるため、ストッパ８１の上方を通るように連結部８２を迂回させる構成と比較して、カード用コネクタ７１を薄型化することが可能となる。
【００８０】
連結部８２の先端部には、底壁部７９側に向かって突出したカム部８４が形成されている。カム部８４は、側壁部７８との間に抜け止め部材７６のレバー８６を収容可能な間隔を空けて形成される。カム部８４は、スライド部材７５のスライドに伴ってレバー８６の側面８５に摺接することで、抜け止め部材７６を駆動させる。すなわち、カム部８４とカム従動面として機能するレバー８６の側面８５とでカム機構が形成される。
【００８１】
抜け止め部材７６は、上面視略円弧状のレバー８６と、レバー８６の先端側に設けられた保持部８７とを有している。レバー８６の背面には、揺動突起８８が底壁部７９側に突出されている。抜け止め部材７６は、揺動突起８８がコネクタ本体７２の底壁部７９に設けられた支持穴に挿入されることで、底壁部７９に揺動可能に支持される。レバー８６の側面８５は、略円弧状に延在しており、カム部８４に摺接される摺接面になっている。このレバー８６の円弧状の側面８５が、カム部８４に押圧されることで、抜け止め部材７６が支持穴を中心として揺動される。
【００８２】
図１３（ａ）に示すように、スライド部材７５が排出位置にある場合、カム部８４が保持部８７側のレバー８６の一端側に接しており、保持部８７が退避位置に位置されている。この状態からカード９１が押し込まれると、スライド部材７５が挿入方向にスライドされ、カム部８４がレバー８６の側面８５を一端側から他端側に向かって摺動する。そして、カム部８４がレバー８６の側面８５の他端側に摺接することで、支持穴を中心として抜け止め部材７６が抜け止め方向に揺動される。
【００８３】
図１３（ｂ）に示すように、カード９１が更に押し込まれ、スライド部材７５が装着位置までスライドされると、抜け止め部材７６の保持部８７が抜け止め位置まで移動される。これにより、保持部８７が、装着口側に突出され、カード用コネクタ７１からのカード９１の抜けが防止される。また、ラッチピン７７の他端がハートカム溝８９の係止部分に係止され、カード９１がスライド部材７５と共に装着位置に保持される。
【００８４】
このように、スライド部材７５の装着位置へのスライドに連動して、抜け止め部材７６の保持部８７が抜け止め位置に移動される。よって、カード９１の装着動作で、抜け止め部材７６により抜け止めされるため、カード用コネクタ７１からのカード９１の抜けを確実に防止することが可能となる。
【００８５】
図１３（ｃ）に示すように、カード９１が更に押し込まれると、ラッチピン７７とハートカム溝８９との係止状態が解除されて、スライド部材７５がカード９１と共に排出方向に押し戻される。スライド部材７５が排出方向にスライドされると、カム部８４がレバー８６の側面８５を他端側から一端側に向かって移動する。そして、カム部８４がレバー８６の側面８５の一端側に摺接することで、支持穴を中心として抜け止め部材７６が退避方向に揺動される。
【００８６】
図１３（ｄ）に示すように、カード９１がカード用コネクタ７１から排出され、スライド部材７５が排出位置までスライドされると、抜け止め部材７６の保持部８７が退避位置まで移動される。これにより、抜け止め部材７６の保持部８７が装着口側から退避され、カード９１用コネクタに対するカード９１の抜差しが許容される。
【００８７】
このように、スライド部材７５の排出位置へのスライドに連動して、抜け止め部材７６の保持部８７が退避位置に移動される。よって、カード９１の排出動作で、抜け止め部材７６の抜け止めが解除されるため、カード用コネクタ７１からのカード９１の排出が規制されることがない。
【００８８】
以上のように、本実施の形態に係るカード用コネクタ７１によれば、第一、第二の実施の形態と同様に、カード用コネクタ７１からのカード９１の抜けを確実に防止することができると共に、抜け止め部材７６によってカード９１の排出が阻害されることがない。また、抜け止め部材７６に対する手動操作が不要となるため、簡易にカード９１の装着動作及び排出動作を行うことが可能となる。さらに、レバー８６の側面８５をカム従動面とすることで、薄型の抜け止め部材７６を使用しても、カム部８４からの押圧力に対する部品強度を高めることが可能となる。また、連結ピン６４をカム溝６５内に配置する第二の実施の形態と比較して、部品強度が高められることから、抜け止め部材７６を薄く形成することができ、カード用コネクタ７１を薄型化することが可能となる。
【００８９】
なお、上記した各実施の形態においては、本発明をＳＩＭカードに対応したカード用コネクタに適用する構成としたが、この構成に限定されるものではない。ＳＩＭカード以外にも、側面に切欠きが形成されたＳＤカード等に対応可能なカード用コネクタに適用するようにしてもよい。また、上記した各実施の形態においては、本発明をカードの接点パッドとコネクタのコンタクト端子とを接触させて信号の授受を行う接触式のカード用コネクタに適用する構成としたが、この構成に限定されるものではない。カード装着位置において、光学式や磁気式の信号読み出し書込み部材によってカードとコネクタとの信号の授受を行う非接触式のカード用コネクタに適用しても良い。
【００９０】
また、上記した各実施の形態においては、本発明を１種類のカードに対応したカード用コネクタに適用する構成としたが、この構成に限定されるものではない。２種類以上のカードに対応可能なコンバイン型のカード用コネクタや、３種類以上のカードに対応可能なカード用コネクタに適用してもよい。
【００９１】
また、上記した各実施の形態においては、保持部が抜け止め部材と一体に形成される構成にしたが、この構成に限定されるものではない。保持部は、抜け止め部材によって抜け止め位置と退避位置とに移動される構成であればよく、抜け止め部材と別体に形成されていてもよい。
【００９２】
また、上記した各実施の形態においては、連結部がスライド部材と一体に形成される構成にしたが、この構成に限定されるものではない。連結部は、スライド部材のスライドに伴って抜け止め部材を連動させるものであればよく、スライド部材と別体に形成されていてもよい。
【００９３】
また、上記した各実施の形態においては、スライド部材及び抜け止め部材がカム機構を介して連動する構成としたが、この構成に限定されるものではない。スライド部材及び抜け止め部材は、どのような構成で連動してもよい。また、抜け止め部材は、スライド部材の挿入方向のスライドのみに連動する構成としてもよいし、スライド部材の排出方向のスライドのみに連動する構成としてもよい。
【００９４】
また、上記した各実施の形態においては、抜け止め部材は、スライド部材のスライドに連動して揺動される構成としたが、この構成に限定されるものではない。抜け止め部材は、スライド部材のスライドに連動して、スライド方向に直交するカード用コネクタの幅方向にスライドして、保持部を保持位置に移動させる構成としてもよい。
【００９５】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００９６】
以上説明したように、本発明は、スライド部材からの外れを防止するための保持用の切欠きを持たないカードを使用しても、煩雑な操作を要することなく、カードの装着時にカードの抜けを確実に防止することができるという効果を有し、特に、ＳＩＭカード用のカード用コネクタに有用である。
【符号の説明】
【００９７】
１、５１、７１  カード用コネクタ
２、５２、７２  コネクタ本体（ハウジング）
３  カバー（ハウジング）
４  装着口
６、５５、７５  スライド部材
７  排出バネ
８、５７、７７  ラッチピン
９、５６、７６  抜け止め部材
２６、６１、８１  ストッパ
３２、６２、８２  連結部
３３  傾斜面
４３  バネ片
４４  保持片（保持部）
４５  規制片
４８  第一の規制部
４９  第二の規制部
６３、８３  開口
６４  連結ピン（カム部）
６５  カム溝（カム従動面）
６６、８６  レバー
６７、８７  保持部
８４  カム部
８５  側面（カム従動面）
９１  カード
【図１】
2011165604.tif 000003
【図２】
2011165604.tif 000004
【図３】
2011165604.tif 000005
【図４】
2011165604.tif 000006
【図５】
2011165604.tif 000007
【図６】
2011165604.tif 000008
【図７】
2011165604.tif 000009
【図８】
2011165604.tif 000010
【図９】
2011165604.tif 000011
【図１０】
2011165604.tif 000012
【図１１】
2011165604.tif 000013
【図１２】
2011165604.tif 000014
【図１３】
2011165604.tif 000015
【図１４】
2011165604.tif 000016